(57)【要約】 【課題】  時計ムーブメントのガンギ車の上部軸部材用の衝撃吸収装置を提供すること。【解決手段】  本発明の衝撃吸収装置は取り付け部を有する。前記取り付け部は、支持部材に配置されたハウジング内にスプリングにより弾性的に保持され、エンドストーンと適合する。前記スプリングは、前記支持部材に固定された金属製ストリップで形成され、せり出すように上部軸部材に半径方向の面内で延びる。前記当接端部は、エンドストーンに軸方向で当接して、前記取り付け部を軸方向にそのハウジング内に保持し、前記スプリングであるアームは、固定端部と半径方向に平行で上部軸部材のに対する直線状部分と環状セクタの弾性部分と前記直線状部分に直交する当接端部とを有する。【選択図】  図２
2006284576.tif 000002
【特許請求の範囲】
【請求項１】
時計ムーブメント（１０）用、特にテン輪（１６）の上部軸部材（１４）用の衝撃吸収装置（１２）において、
（Ａ）  軸受石を具備した取り付け部（３２）と
（Ｂ）  当接端部（４６）と
を有し、
前記取り付け部（３２）は、固定された支持部材（２０）に配置された相補形状をしたハウジング（２８）内にスプリング（４２）により弾性的に保持され、エンドストーン（３８）を形成する軸受石を具備し、
前記スプリング（４２）は、前記支持部材（２０）に固定された金属製ストリップにより形成され、
前記金属製ストリップ（４２）は、せり出すように上部軸部材（１４）まで半径方向の面内で延び、
前記当接端部（４６）は、前記エンドストーン（３８）に軸方向で当接して、前記取り付け部（３２）を軸方向にそのハウジング（２８）内に保持し、
前記スプリング（４２）は、
（ａ）  固定端部（４４）と、
（ｂ）  前記上部軸部材（１４）の軸（Ａ１）に対して半径方向に平行な直線状部分（４８）と、
（ｃ）  弾性部分を構成する環状部（５０）と、
（ｄ）  前記直線状部分（４８）に直交し前記半径方向に沿って延びる前記当接端部（４６）と
を有する
ことを特徴とする衝撃吸収装置。
【請求項２】
前記当接端部（４６）は、環状部（５０）の一端を延ばして形成される
ことを特徴とする請求項１記載の衝撃吸収装置。
【請求項３】
前記当接端部（４６）は、上部軸部材（１４）の軸（Ａ１）と同軸で、半径方向面内で曲がった周辺エッジ（５４）を有するホール（５２）を有し、
前記周辺エッジ（５４）は、前記エンドストーン（３８）と接触する接触点（５６）を少なくとも３個形成する
ことを特徴とする請求項１、２のいずれかに記載の衝撃吸収装置。
【請求項４】
前記当接端部（４６）は、環状部（５０）の反対側で、直径方向に延びる舌部（５８）を有する
ことを特徴とする請求項１−３のいずれかに記載の衝撃吸収装置。
【請求項５】
前記環状部（５０）は、１８０°以上の角度にわたって延びる
ことを特徴とする請求項１−４のいずれかに記載の衝撃吸収装置。
【請求項６】
前記直線状部分（４８）は、エンドストーン（３８）の外周の接線方向に沿って延びる
ことを特徴とする請求項１−５のいずれかに記載の衝撃吸収装置。
【請求項７】
前記環状部（５０）は、上部軸部材（１４）の反対側で、前記直線状部分（４８）に対し側面方向にずれている
ことを特徴とする請求項１−６のいずれかに記載の衝撃吸収装置。
【請求項８】
前記固定端部（４４）は、矩形の半径方向プレートにより形成され、
前記プレートの長さ方向は、前記直線状部分（４８）に直交し、
前記直線状部分（４８）は、前記プレートの長さ方向端部から延びる
ことを特徴とする請求項１−７のいずれかに記載の衝撃吸収装置。
【請求項９】
前記直線状部分（４８）の半径方向底表面（６０）は、前記支持部材（２０）の反対の半径方向表面に軸方向で当接する
ことを特徴とする請求項１−８のいずれかに記載の衝撃吸収装置。
【請求項１０】
請求項１−９のいずれかに記載の衝撃吸収装置（１２）を有する時計ムーブメント
【請求項１１】
時計ムーブメント（１０）用の衝撃吸収装置（１２）において、
（Ａ）  テン輪（１６）の上部軸部材（１４）を受ける軸受石を具備したベアリング／取り付け部（３２）と、
（Ｂ）  時計の地板（１８）に取り付けられ、前記ベアリング／取り付け部（３２）を収納するハウジング（２８）を有する支持部材（２０）と、
（Ｃ）  前記地板に平行な面内に伸び、前記ベアリング／取り付け部（３２）をハウジング（２８）内に弾性的に保持するスプリング部材（４２）と、
を有し、
前記スプリング部材（４２）は、金属製ストリップにより形成され、
前記スプリング部材（４２）は、
（Ｃ１）  前記支持部材（２０）を介して地板（１８）に取り付けられる固定端部（４４）と、
（Ｃ２）  前記固定端部（４４）から前記上部軸部材（１４）の軸（Ａ１）の同心円の接線方向に延びる直線状部分（４８）と、
（Ｃ３）  前記直線状部分（４８）に接続される、弾性部分として機能する環状部（５０）と、
（Ｃ４）  前記環状部（５０）から、前記上部軸部材（１４）の軸（Ａ１）方向に延び、前記ベアリング／取り付け部（３２）をハウジング（２８）内に弾性的に当接続する当接端部（４６）と
を有する
ことを特徴とする衝撃吸収装置。
【発明の詳細な説明】
【技術分野】
【０００１】
本発明は、時計ムーブメントのテン輪の軸部材の衝撃吸収装置に関する。
【背景技術】
【０００２】
本発明は、時計ムーブメント用、特にテン輪の上部軸部材用の衝撃吸収装置において、軸受石をはめた取り付け部と当接端部とを有し、前記取り付け部は、固定された支持部材に配置された相補形状をしたハウジング内にスプリングにより弾性的に保持され、エンドストーンを形成する軸受石と適合し、前記スプリングは、前記支持部材に固定された金属製ストリップにより形成され、前記金属製ストリップは、せり出すように上部軸部材まで半径方向の面内で延び、前記当接端部は、前記エンドストーンに軸方向で当接して、前記取り付け部を軸方向にそのハウジング内に保持する。
【０００３】
この種の衝撃吸収装置は特許文献１に開示されている。同文献においては、スプリング（ひげゼンマイ）・アームの固定端はエンドストーンから離れており、スペースをバーの上部表面とアームの中間部分との間で、かつ当接端と固定端との間に設け、これにより、横方向軸の周囲にアームを弾性的に曲げるようにしなければならない。
【０００４】
【特許文献１】スイス特許第２３７，９９９号明細書
【０００５】
この種の衝撃吸収装置の開発にはいくつかの不具合点がある。それは、エンドストーンにかるスプリングの復帰力の強さ正確に制御しなければならないことである。これは、当接端と固定端との間の比較的大きな慣性アームがかかるからである。さらに、スプリングの復帰力の強さは限られており、復帰力の特性を変更しようとする時には、スプリング・アームは、その全長にわたって全体を変更しなければならない。
【発明の開示】
【発明が解決しようとする課題】
【０００６】
本発明の目的は、このような欠点を解決することである。
【課題を解決するための手段】
【０００７】
特に、本発明のスプリングは、固定端部と、上部軸部材の軸（Ａ１）に対して半径方向に平行な直線状部分と、弾性部分を構成する環状部と、前記直線状部分に直交し前記半径方向に沿って延びる前記当接端部とを有する。
【０００８】
本発明は、この衝撃吸収装置を具備した時計ムーブメントを提供する。
【０００９】
本発明の他の特徴および利点を、以下説明するが、これは単なる一実施例である。
【実施例】
【００１０】
時計ムーブメント１０は、地板１８を有する。この地板１８にテン輪１６の支持部材あるいはブリッジ／受けでもあるバー２０が固定される。このバー２０は、「テンプ受け（balance-cock）」とも称する。テン輪１６は、その軸Ａ１の周囲で、バー２０と地板１８の間に、底部軸部材１５と上部軸部材１４の手段により、回転可能に搭載される。
【００１１】
バー２０は、横方向固定板２２と横方向支持板２６とを有する。横方向固定板２２は、地板１８の上部面２４にネジ留めされる。横方向支持板２６は、横方向固定板２２からせり出して、地板１８の上部面２４と共に、テン輪１６の通路用の軸方向スペースを形成する。
【００１２】
横方向支持板２６は、開口３０を具備したハウジング２８を有する。この開口３０は、軸受石をはめた取り付け部３２を収納し、テン輪１６の上部軸部材１４用のベアリングを形成する。ハウジング２８は、横方向支持板２６に固定された中間部３４内に配置されている。
【００１３】
ハウジング２８は、軸方向に階段状となっており、例えば切頭凹部肩部を有する。この切頭凹部肩部が、取り付け部３２の周辺壁上に形成された切頭凸部表面に適合する。
【００１４】
取り付け部３２は、底に孔の空いたジュエル（石）である穴石座３６と適合する。この穴石座３６は、テン輪１６の上部軸部材１４の上端部分と、エンドストーン３８を形成する上部ジュエル（石）とを収納する。エンドストーン３８は、若干隆起した表面４０を有する。
【００１５】
取り付け部３２は、ハウジング２８内にスプリング４２の手段により、弾力的に保持される。スプリング４２は、平坦な金属製ストリップにより形成される。このストリップは、オーバーハングを形成するよう、バー２０の横方向支持板２６に固定される。スプリング４２は、半径方向の面で上部軸部材１４まで延びて、アームを形成する。このアームでもあるスプリング４２は固定端部４４と当接端部４６とを有する。当接端部４６は、エンドストーン３８の隆起表面４０に軸方向で当接し、取り付け部３２をハウジング２８内でその静止位置に軸方向で保持する。
【００１６】
本発明によれば、スプリングでもあるアーム４２は、固定端部４４と、上部軸部材１４の軸Ａ１の半径方向に平行な直線状の部分４８と、環状部５０の形状をした弾性部分と、当接端部４６とを有する。この当接端部４６は、直線状部分４８に直交する直径方向に沿って延びる。
【００１７】
環状部５０は、直線状部分４８に平行な軸の周囲でねじり作用をし、取り付け部３２に加わる復帰力の最適な制御を保証する。この復帰力は、環状部５０の半径方向の厚さを適宜選択することにより、軸方向の厚さを変えることなく、最適化できる。
【００１８】
本発明の好ましい実施例によれば、当接端部４６は、環状部５０の一端を延ばした形状でその中にホール５２を有する。このホール５２は上部軸部材１４の軸Ａ１と同軸であり、半径方向の面に、曲がった周辺エッジ５４を有し、エンドストーン３８の隆起表面４０と接触する接触点５６を少なくとも３カ所提供する。
【００１９】
好ましくは、当接端部４６は、環状部５０の反対側で、直径方向に延びる舌部５８を有する。
【００２０】
環状部５０は、１８０°以上の角度延びる。例えば、２７０°台まで延びる。
【００２１】
好ましくは、直線状部分４８は、エンドストーン３８の外周の接線方向に沿って、延びる。
【００２２】
環状部５０は、上部軸部材１４の反対側で形成され、直線状部分４８に対し、横方向にずれている。
【００２３】
ここに示した実施例によれば、固定端部４４は、直線状部分４８と直交している、ほぼ矩形の半径方向プレートにより形成されている。
【００２４】
好ましくは、直線状部分４８の半径方向底表面６０は、バー２０に対向して軸方向で当接する。この構成により、アーム４２はバー２０に適切に当接し、その結果、環状部５０は最適のねじり作用を提供する。
【００２５】
上記の実施例によれば、本発明の衝撃吸収装置１２は、バー２０の側に配置される。本発明の他の実施例（図示せず）によれば、衝撃吸収装置１２は、底部軸部材１５と関連する地板１８の上にも配置可能である。
【００２６】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００２７】
【図１】本発明により形成されたテン輪１６の上部軸部材１４用の衝撃吸収装置１２を具備した時計ムーブメント１０の軸方向断面図。
【図２】本発明により形成されたテン輪１６の上部軸部材１４用の衝撃吸収装置１２を具備した時計ムーブメント１０の上面図。
【符号の説明】
【００２８】
１０  時計ムーブメント
１２  衝撃吸収装置
１４  上部軸部材
１５  底部軸部材
１６  テン輪
１８  地板
２０  バー
２２  横方向固定プレート
２４  上部面
２６  横方向支持プレート
２８  ハウジング
３０  開口
３２  取り付け部
３４  中間部
３６  穴石座
３８  エンドストーン
４０  隆起表面
４２  スプリング
４４  固定端部
４６  当接端部
４８  直線状部分
５０  環状部
５２  ホール
５４  湾曲周辺エッジ
５６  接触点
５８  舌部
６０  半径方向底表面
【図１】
2006284576.tif 000003
【図２】
2006284576.tif 000004